【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
浮動する運送船内の液化エタンカーゴからのボイルオフガス流（０１）を冷却する冷却方法において、前記冷却方法が少なくとも、
少なくとも第１の圧縮段（６５）及び最終圧縮段（７５）を有する２つ以上の圧縮段で前記液化エタンカーゴからのボイルオフガス流（０１）を圧縮して、圧縮されたＢＯＧ排出流（０６）を生ぜしめるステップであって、前記第１の圧縮段（６５）は第１段の排出圧力を有し、前記最終圧縮段（７５）は最終段の吸引圧力を有し、１つ以上の中間の、随意ではあるが冷却された圧縮ＢＯＧ流（０２、０３、０４）を順次の圧縮段間で生ぜしめるようにする当該ステップと、
前記圧縮されたＢＯＧ排出流（０６）を１つ以上の第１のクーラント流（２０２、３０２）に対接させて冷却させ、第１の冷却された圧縮ＢＯＧ流（０８）を生ぜしめるステップと、
前記第１の冷却された圧縮ＢＯＧ流（０８）を少なくとも１つの第２のクーラント流に対接させて冷却させ、第２の冷却された圧縮ＢＯＧ流（３４）を生ぜしめるステップと、
前記第２の冷却された圧縮ＢＯＧ流（３４）を第３のクーラント流に対接させて冷却させ、第３の冷却された圧縮ＢＯＧ流（３５）を生ぜしめるステップと、を具え、
前記方法は、少なくとも
前記第３の冷却された圧縮ＢＯＧ流（３５）の一部分を、前記第１段の排出圧力と前記最終段の吸引圧力との間の圧力まで膨張させ、第１の膨張された冷却ＢＯＧ流（３３ａ）を生ぜしめるステップと、
前記第１の膨張された冷却ＢＯＧ流（３３ａ）を前記第３のクーラント流として用いて第１の膨張された加熱ＢＯＧ流（３３ｂ）を生ぜしめるステップと、
前記第１の膨張された加熱ＢＯＧ流（３３ｂ）を前記第２のクーラント流又はある第２のクーラント流として用いるステップと
をさらに具えることを特徴とする冷却方法。
【請求項２】
請求項１に記載の冷却方法において、前記液化エタンカーゴは０．１モル％よりも多いメタンを有している冷却方法。
【請求項３】
請求項２に記載の冷却方法において、前記液化エタンカーゴは０．５モル％よりも多いメタンを有している冷却方法。
【請求項４】
請求項１〜３の何れか一項に記載の冷却方法において、前記冷却方法が３つ又は４つの圧縮段を有している冷却方法。
【請求項５】
請求項１〜４の何れか一項に記載の冷却方法において、前記第１の冷却された圧縮ＢＯＧ流（０８）を前記第２のクーラント流に対接させて冷却させる前記ステップをエコノマイザ（１８０）内で実行する冷却方法。
【請求項６】
請求項１〜５の何れか一項に記載の冷却方法において、前記第１の冷却された圧縮ＢＯＧ流（０８）の全てを前記第２のクーラント流に対接させて冷却させる冷却方法。
【請求項７】
請求項１〜６の何れか一項に記載の冷却方法において、前記第２の冷却された圧縮ＢＯＧ流（３４）の全てを前記第１の膨張された冷却ＢＯＧ流（３３ａ）に対接させて冷却させる冷却方法。
【請求項８】
請求項１〜７の何れか一項に記載の冷却方法において、前記冷却方法が更に、
前記第１の冷却された圧縮ＢＯＧ流（０８）から気体の排気流（５１）を生ぜしめるステップと、
前記第３の冷却された圧縮ＢＯＧ流（３５）の一部分を膨張させて第４のクーラント流（３３ｃ）を形成するステップと、
前記気体の排気流（５１）を前記第４のクーラント流（３３ｃ）に対接させて冷却させ、冷却された排気流（５３）と加熱された第４のクーラント流（３８）とを生ぜしめるステップと
を具える冷却方法。
【請求項９】
請求項８に記載の冷却方法において、前記冷却方法が、
前記加熱された第４のクーラント流（３８）をＢＯＧ再循環流として用いるステップを具えている冷却方法。
【請求項１０】
請求項８又は９に記載の冷却方法において、前記冷却方法が、
前記冷却された排気流（５３）を膨張させ、膨張された更なる冷却された排気流（６３）を生ぜしめる更なるステップと、
前記膨張された更なる冷却された排気流（６３）を貯蔵タンク（５０）に供給する更なるステップと
を具える冷却方法。
【請求項１１】
請求項８又は９に記載の冷却方法において、前記冷却方法が、
前記冷却された排気流（５３）を分離させ、排気排出流（５５）と冷却された排気ＢＯＧ帰還流（５７）とを生ぜしめる更なるステップ
を具える冷却方法。
【請求項１２】
請求項１１に記載の冷却方法において、前記冷却方法が、
前記冷却された排気ＢＯＧ帰還流（５７）を膨張させ、膨張された冷却排気ＢＯＧ帰還流（５９）を生ぜしめる更なるステップと、
前記膨張された冷却排気ＢＯＧ帰還流（５９）を貯蔵タンク（５０）に供給する更なるステップと
を具える冷却方法。
【請求項１３】
請求項１〜１２の何れか一項に記載の冷却方法において、前記圧縮されたＢＯＧ排出流（０６）を１つ以上の第１のクーラント流（２０２、３０２）に対接させて冷却させ、第１の冷却された圧縮ＢＯＧ流（０８）を生ぜしめる前記ステップが、
前記圧縮されたＢＯＧ排出流（０６）を第１のクーラント流としての予冷クーラント流（２０２）に対接させて予冷させ、予冷された圧縮ＢＯＧ流（０７）を発生させるステップと、
前記予冷された圧縮ＢＯＧ流（０７）を第１のクーラント流としての第１の冷媒流（３０２）に対接させて第１の冷却された圧縮ＢＯＧ流（０８）を発生させるステップと
を具える冷却方法。
【請求項１４】
請求項１３に記載の冷却方法において、前記予冷クーラント流（２０２）を、海水流、空気流、特に周囲の空気流及び冷媒流の何れか又は任意の組み合せから選択した群の１つ以上とする冷却方法。
【請求項１５】
請求項１３又は１４に記載の冷却方法において、前記第１の冷媒流（３０２）をプロパン及びプロピレンから選択した群の１つ以上とする冷却方法。
【請求項１６】
請求項１〜１５の何れか一項に記載の冷却方法において、圧縮段（６５、７５）を多段コンプレッサの圧縮段とする冷却方法。
【請求項１７】
請求項１〜１６の何れか一項に記載の冷却方法において、前記第２のクーラント流の全てが前記第１の膨張された加熱ＢＯＧ流（３３ｂ）を有するようにする冷却方法。
【請求項１８】
請求項１〜１７の何れか一項に記載の冷却方法において、前記第２のクーラント流として用いる前記第１の膨張された加熱ＢＯＧ流（３３ｂ）が液相及び気相の双方を有するようにする冷却方法。
【請求項１９】
請求項１８に記載の冷却方法において、前記前記第２のクーラント流として用いる前記第１の膨張された加熱ＢＯＧ流（３３ｂ）の前記液相及び気相を前記第１の冷却された圧縮ＢＯＧ流（０８）の冷却中に分離させる冷却方法。
【請求項２０】
複数の成分を有する浮動する運送船内の液化エタンカーゴからのボイルオフガス流（０１）を冷却する冷却装置において、前記冷却装置が少なくとも、
液化エタンカーゴからのボイルオフガス流（０１）を圧縮する圧縮システム（６０）であって、前記圧縮システムは、少なくとも第１の圧縮段（６５）と圧縮されたＢＯＧ排出流（０６）を生ぜしめる最終圧縮段（７５）とを含む２つ以上の圧縮段を有し、中間の、随意ではあるが冷却された圧縮ＢＯＧ流（０２、０３、０４）を順次の圧縮段間で生ぜしめるようにした当該圧縮システム（６０）と、
前記圧縮されたＢＯＧ排出流（０６）を冷却して、第１の冷却された圧縮ＢＯＧ流（０８）を生ぜしめるようにした１つ以上の第１の熱交換器（２００、３００）と、を具え、
前記冷却装置は、
１つ以上の第２の熱交換器（１８０）であって、前記第１の冷却された圧縮ＢＯＧ流（０８）を、前記１つ以上の第２の熱交換器内で分離させる必要がある混合相のクーラント流（３３ｂ）に対接させて更に冷却させ、第２の冷却された圧縮ＢＯＧ流（３４）を生ぜしめる当該１つ以上の第２の熱交換器（１８０）と、
前記第２の冷却された圧縮ＢＯＧ流（３４）を更に冷却させて第３の冷却された圧縮ＢＯＧ流（３５）を生ぜしめる１つ以上の第３の熱交換器（１９５）と
をさらに具えることを特徴とする冷却装置。
【請求項２１】
請求項２０に記載の冷却装置において、請求項１〜１９の何れか一項に記載の冷却方法を用いて動作しうるようにした冷却装置。
【請求項２２】
請求項２０又は２１に記載の冷却装置において、前記第２の熱交換器（１８０）をエコノマイザとした冷却装置。
【請求項２３】
請求項２０〜２２の何れか一項に記載の冷却装置を有する又は請求項１〜１９の何れか一項に記載の冷却方法を用いる液化エタン用の浮動する運送船。